(57)【特許請求の範囲】
【請求項１】
少なくとも、白色顔料、カチオン性界面活性剤、ノニオン性界面活性剤、高級アルコール、ビニルピロリドンースチレン共重合体および水を含有することを特徴とする染毛剤施術練習用組成物。
【請求項２】
上記白色顔料が、酸化チタンである請求項１に記載の染毛剤施術練習用組成物。
【請求項３】
カチオン性界面活性剤がハロゲン化アルキルトリメチルアンモニウムであり、ノニオン性界面活性剤がポリオキシエチレンアルキルエーテルであり、高級アルコールの炭素数が１２〜２２で、ハロゲン化アルキルトリメチルアンモニウムのアルキル基の炭素数が１２〜２２で、ポリオキシエチレンアルキルエーテルのアルキル基の炭素数が１２〜２２である請求項１に記載の染毛剤施術練習用組成物。
【請求項４】
高級アルコールの炭素数と、ハロゲン化アルキルトリメチルアンモニウムのアルキル基の炭素数と、ポリオキシエチレンアルキルエーテルのアルキル基の炭素数が、同じ数である請求項３に記載の染毛剤施術練習用組成物。
【発明の詳細な説明】
【技術分野】
【０００１】
本発明は、染毛剤の塗布練習の際に、染毛剤の代わりに用いられる組成物に関するものである。
【背景技術】
【０００２】
近年、ヘアカラーの普及により、美容技術者のヘアカラー技術の向上が重要視されている。
【０００３】
また、毛髪全体がより美しく視覚されるように、アルミホイルなどを利用して部分的に毛髪を染毛するハイライトやウィービングという施術方法が採用されているが、これらの施術は熟練を要する技術であるため、実施する美容技術者には、練習（トレーニング）によって、これらの技術を十分に体得することが求められる。
【０００４】
しかし、上記のヘアカラーなどに用いられる通常の染毛剤は、酸化剤や染料などを含有するものであるため、例えば、ウィックを用いてその塗布練習などを繰り返すと、わずかな練習回数でもウィックの毛髪の損傷が激しいことから、ウィックの使用寿命が非常に短くなるいう問題がある。また、染毛剤の塗布練習のために、酸化剤や染料などを含有する染毛剤を使用するのでは、経済性が良くないという問題もある。
【０００５】
このような事情を受けて、染毛剤の塗布練習用に、酸化剤や染料などを含有しない組成物（練習用組成物）が販売されている。
【発明の開示】
【発明が解決しようとする課題】
【０００６】
ところが、上記のような従来の練習用組成物では、毛髪に塗布した際に、その塗布箇所が判別し難いといった問題がある。練習用組成物を毛髪に塗布した後に、その塗布箇所が判別し難いと、技術の習熟度合いが把握し難く、染毛剤塗布の練習効率を高めることができない。
【０００７】
また、従来の練習用組成物では、販売されているものをそのまま塗布練習に使用するようなタイプのものがある一方で、経済性を重視して、ある程度濃縮した形態で販売し、ユーザーサイドで水を加えて希釈して使用するタイプのものもある。しかしながら、このようなユーザーサイドで希釈して使用するタイプの従来の練習用組成物では、水と混ぜ合わせる際の操作性が悪く、均一な希釈物を容易に得難いといった問題もある。
【０００８】
本発明は、上記事情に鑑みてなされたものであり、その目的は、毛髪への塗布箇所が容易に判別でき、また、水と混ぜ合わせる場合の操作性にも優れた染毛剤施術練習用組成物を提供することにある。
【課題を解決するための手段】
【０００９】
上記目的を達成し得た本発明の染毛剤施術練習用組成物（以下、単に「練習用組成物」と省略する場合がある）は、少なくとも、白色顔料、カチオン性界面活性剤、ノニオン性界面活性剤、高級アルコール、ビニルピロリドンースチレン共重合体および水を含有することを特徴とする。
【００１０】
上記白色顔料としては、酸化チタンが好ましい。また、上記練習用組成物は、更に親水性高分子を含有していることが好ましい。
【発明の効果】
【００１１】
本発明によれば、毛髪への塗布箇所が容易に判別でき、また、更に水を加えて混ぜ合わせた場合には、その操作性が良好で、均一な希釈物が容易に得られる染毛剤施術練習用組成物が提供できる。
【発明を実施するための最良の形態】
【００１２】
本発明の染毛剤施術練習用組成物は、少なくとも油性成分と水と界面活性剤で構成されるクリーム状の基剤（クリーム基剤）を主体とするものである。このうち、油性成分としては高級アルコールを用い、界面活性剤としてはカチオン性界面活性剤とノニオン性界面活性剤とを併用する。
【００１３】
本発明でいう「高級アルコール」とは、炭素数が１２以上２２以下のアルコールを意味している。具体的には、ラウリルアルコール、ミリスチルアルコール、セタノール、ステアリルアルコール、セトステアリルアルコール（セタノールとステアリルアルコールの混合物）、オレイルアルコール、ベヘニルアルコール、オクチルドデカノールなどが挙げられる。なお、ラノリンを加水分解して得られるラノリンアルコールは、上記定義の高級アルコールに含まれており、本発明に係る高級アルコールとして用いることができる。本発明に係る高級アルコールの炭素数の下限は１４であることが好ましく、また、炭素数の上
限は１８であることが好ましい。
【００１４】
本発明の練習用組成物では、界面活性剤として、カチオン性界面活性剤とノニオン性界面活性剤を併用する。クリーム状基剤を形成するだけであれば、例えば、界面活性剤としてノニオン界面活性剤のみを用いることも可能であるが、界面活性剤にノニオン性界面活性剤のみを用いて構成したクリーム基剤では、更に水を加えて混ぜ合わせて均一なクリーム状の希釈物を得ることが困難である。これに対し、クリーム状基剤における界面活性剤として、ノニオン性界面活性剤と共にカチオン性界面活性剤を用いることで、練習用組成物に水を加えて簡単に混ぜ合わせるだけで容易に混合できるため、均一な希釈物を短時間で得ることができる。このため、本発明の練習用組成物は、ユーザーサイドにおいて容易に水希釈を行うことができる。
【００１５】
また、界面活性剤として、カチオン性界面活性剤のみを用いて構成したクリーム基剤では、水で希釈した際に急激に粘度が低下し、毛髪に塗布する際の操作性が悪くなる。これに対し、ノニオン性界面活性剤とカチオン性界面活性剤を併用した本発明の練習用組成物では、水で希釈しても急激な粘度低下を抑えられて適度な粘度が維持されるため、毛髪への良好な塗布性が確保できる。その理由は定かではないが、本発明の練習用組成物に係るクリーム基剤では、ノニオン性界面活性剤とカチオン性界面活性剤を併用することにより、例えば、液晶状のエマルションなどではなく、ゲル状のエマルションを形成しており、これにより、更に水を添加した際の急激な粘度低下が抑制されるものと推測される。また、ノニオン性界面活性剤とカチオン性界面活性剤を併用することで、ノニオン性界面活性剤のみを用いた場合に比べて、組成物を塗布した毛髪を水洗する際に、洗い流し易いという効果もある。
【００１６】
本発明で用い得るカチオン性界面活性剤としては、通常の化粧品に用いられている従来公知のものであれば特に制限はなく、例えば、塩化アルキルトリメチルアンモニウム（塩化ラウリルトリメチルアンモニウム、塩化セチルトリメチルアンモニウム、塩化ステアリルトリメチルアンモニウムなど）、臭化アルキルトリメチルアンモニウム（臭化セチルトリメチルアンモニウム、臭化ステアリルトリメチルアンモニウムなど）などのハロゲン化アルキルトリメチルアンモニウム；塩化ジステアリルジメチルアンモニウム、塩化ジココイルジメチルアンモニウムなどのハロゲン化ジアルキルトリメチルアンモニウム；ステアリルトリメチルアンモニウムサッカリン；などが挙げられる。中でも、上記例示のハロゲン化アルキルトリメチルアンモニウムが好ましい。
【００１７】
また、本発明で用い得るノニオン性界面活性剤も、通常の化粧品に用いられている従来公知のものであれば特に制限はなく、例えば、ポリオキシエチレンアルキルエーテル［ポリオキシエチレンステアリルエーテル、ポリオキシエチレンセトステアリルエーテル、ポリオキシエチレンセチルエーテル、ポリオキシエチレンラウリルエーテル、ポリオキシエチレンオレイルエーテルなど］、ポリオキシエチレンアルキルフェニルエーテル、ポリオキシエチレンポリオキシプロピレンアルキルエーテル（ポリオキシエチレンポリオキシプロピレンセチルエーテル、ポリオキシエチレンポリオキシプロピレンベヘニルエーテル、ポリオキシエチレンポリオキシプロピレン２−デシルテトラデシルエーテル、ポリオキシエチレンポリオキシプロピレンブチルエーテル、ポリオキシエチレンポリオキシプロピレン水添ラノリン、ポリオキシエチレンポリオキシプロピレングリセリンエーテルなど）、ポリオキシエチレンポリオキシプロピレングリコール、グリセリン脂肪酸エステル、ポリグリセリン脂肪酸エステル、ソルビタン脂肪酸エステル（モノステアリン酸ソルビタンなど）、モノラウリン酸ポリオキシエチレンソルビタン、ポリオキシエチレンソルビタン脂肪酸エステル、ポリオキシアルキレンベンジルエーテル、ポリオキシエチレンヒマシ油、ポリオキシエチレン硬化ヒマシ油、ショ糖脂肪酸エステル、アルキルポリグルコシド、Ｎ−アルキルジメチルアミンオキシド、ポリオキシエチレンプロピレングリコール脂肪酸エステル、モノオレイルグリセリルエーテルなどが挙げられる。中でも、上記例示のポリオキシエチレンアルキルエーテルが好ましい。なお、上記ポリオキシエチレンアルキルエーテルでは、アルコール１モルに対するエチレンオキサイドの平均付加モル数が２モル以上５０モル以下である構造のものがより好ましい（以下、エチレン付加モル数がｎモルの構造のものを「ｎＥ．Ｏ．」と表記する。よって、例えば、エチレン付加モル数が２モルの場合には「２Ｅ．Ｏ．」となる）。
【００１８】
なお、高級アルコールとカチオン性界面活性剤とノニオン性界面活性剤とは、上記例示の各材料を適宜組み合わせて用いればよいが、例えば、炭素数が１２〜２２の高級アルコールと、アルキル基の炭素数が１２〜２２のハロゲン化アルキルトリメチルアンモニウムと、アルキル基の炭素数が１２〜２２のポリオキシエチレンアルキルエーテルとを組み合わせて用いることが好ましい。
【００１９】
また、上記の高級アルコールとハロゲン化アルキルトリメチルアンモニウムとポリオキシエチレンアルキルエーテルの組み合わせの中でも、高級アルコールの炭素数と、ハロゲン化アルキルトリメチルアンモニウムのアルキル基の炭素数と、ポリオキシエチレンアルキルエーテルのアルキル基の炭素数が、同じ数である組み合わせがより好ましい。具体的な組み合わせとしては、例えば、セタノールと、臭化セチルトリメチルアンモニウムと、ポリオキシエチレンセチルエーテルの組み合わせ（炭素数：１６）；ステアリルアルコールと、塩化ステアリルトリメチルアンモニウムと、ポリオキシエチレンステアリルエーテルの組み合わせ（炭素数：１８）；などが挙げられる。
【００２０】
上記のように、高級アルコールの炭素数と、ハロゲン化アルキルトリメチルアンモニウムのアルキル基の炭素数と、ポリオキシエチレンアルキルエーテルのアルキル基の炭素数を、同じ数にして組み合わせた場合には、練習用組成物に係るクリーム基剤のエマルションがより安定化し、水で希釈する際の操作性が一層向上する。
【００２１】
本発明の練習用組成物に係る白色顔料は、該組成物を毛髪に塗布した際の塗布箇所の判別を容易にする役割を担うものである。白色顔料としては、例えば、酸化チタン、酸化亜鉛、酸化ジルコニウム、酸化アルミニウムなどの白色の金属酸化物が挙げられるが、塗布箇所がより判別し易いことから、酸化チタンが好ましい。なお、酸化チタンには、アナターゼ型とルチル型の２種類が存在するが、アナターゼ型のものの方が好ましい。理由は不明であるが、アナターゼ型酸化チタンを用いた練習用組成物の方が、更に水を加えて希釈する際の混合がより容易となる。また、アナターゼ型酸化チタンを用いた練習用組成物の方が、毛髪に塗布した際に、塗布箇所がより判別し易いといった利点もある。
【００２２】
白色顔料の平均粒子径としては、例えば、０．１μｍ以上、より好ましくは０．３μｍ以上であって、０．７μｍ以下、より好ましくは０．５μｍ以下であることが望ましい。上記の平均粒子径を有する白色顔料であれば、練習用組成物に係るクリーム基剤と配合し易いからである。なお、上記の白色顔料の平均粒子径は、０．０５％のヘキサメタリン酸Ｎａ溶液３００ｍｌに、白色顔料６ｇを加えて分散させたものについて、遠心沈降法で求めた白色顔料の粒度分布から算出した重量メジアン径である。
【００２３】
本発明の練習用組成物は、そのまま染毛剤の塗布練習に用いることもできるが、更に水を加えて希釈した後に用いることもできる。
【００２４】
なお、練習用組成物が、染毛剤の塗布練習のために毛髪に適用される際には、その粘度が、２５℃において、１０，０００ｍＰａ・ｓ以上、より好ましくは１５，０００ｍＰａ・ｓ以上であって、４０，０００ｍＰａ・ｓ以下、より好ましくは３０，０００ｍＰａ・ｓ以下であることが望ましい。ここでいう練習用組成物の粘度は、Ｂ型回転粘度計を用い、４号ローターを使用して、２５℃の温度で、回転数６ｒｐｍで６０秒回転させた後の値である。
【００２５】
よって、例えばユーザーサイドにおいて、練習用組成物に更に水を加えて希釈して用いることが想定されている場合には、希釈前の練習用組成物の粘度を、希釈後の粘度が上記好適値となるように調整しておくことが好ましい。練習用組成物の粘度は、各成分の含有比率を調整することで制御できる。
【００２６】
練習用組成物を水で希釈してから使用する場合には、希釈倍率は、例えば、１．５倍以上、より好ましくは２倍以上であって、４倍以下、より好ましくは３倍以下とすることが望ましい。希釈倍率が大きすぎると、希釈の際の練習用組成物と水との混合が困難となることがある。
【００２７】
上記のような希釈倍率で希釈して使用される練習用組成物は、各成分の含有量を、例えば、以下のようにすることが好ましい。なお、以下で説明する各成分の含有量を満足する練習用組成物であっても、例えば、その粘度が上記の好適値にある場合には、更に水で希釈することなく、そのまま使用することができる。
【００２８】
白色顔料の含有量は、例えば、０．１質量％以上、より好ましくは０．５質量％以上であって、２質量％以下、より好ましくは１質量％以下とすることが好ましい。
【００２９】
カチオン性界面活性剤の含有量は、例えば、１質量％以上、より好ましくは２質量％以上であって、６質量％以下、より好ましくは４質量％以下とすることが好ましい。
【００３０】
ノニオン性界面活性剤の含有量は、例えば、０．１質量％以上、より好ましくは０．５質量％以上であって、３質量％以下、より好ましくは１．５質量％以下とすることが好ましい。
【００３１】
高級アルコールの含有量は、例えば、５質量％以上、より好ましくは８質量％以上であって、２０質量％以下、より好ましくは１５質量％以下とすることが好ましい。
【００３２】
本発明の練習用組成物において、白色顔料、カチオン性界面活性剤、ノニオン性界面活性剤、高級アルコールおよびビニルピロリドンースチレン共重合体以外の必須の成分としては、上記の通り、水が挙げられる。本発明の練習用組成物では、白色顔料、カチオン性界面活性剤、ノニオン性界面活性剤、高級アルコールおよびビニルピロリドンースチレン共重合体以外に含有する成分が水のみであってもよいし、必要に応じて他の成分を更に含有していてもよい。よって、本発明の練習用組成物における水の含有量は、例えば、７０〜９０質量％であることが好ましい。
【００３３】
本発明の練習用組成物では、親水性高分子の一種であるビニルピロリドンースチレン共重合体を用いる。上記の白色顔料は、毛髪における練習用組成物を塗布した箇所の判別を容易にする点では非常に有効であるが、練習用組成物中の含有量が多すぎると、例えば、水で希釈する際に白色顔料の一部がクリーム基剤から分離し易くなり、その操作性が若干低下し、混合の長時間化を引き起こす場合がある。
【００３４】
これに対し、上記ビニルピロリドンースチレン共重合体は、水への分散性が良好であり、かつ白色顔料における上記機能（毛髪における練習用組成物を塗布した箇所の判別を容易にする機能）を補う機能も有している。そのため、親水性高分子を白色顔料と併用することで、練習用組成物中における白色顔料の使用量を低減して水希釈の際の操作性を高めつつ、塗布した箇所の判別を容易とする機能を維持することができる。また、練習用組成物を毛髪に塗布した箇所の判別をより容易にすべく、白色顔料の含有量を高めた場合でも、ビニルピロリドンースチレン共重合体を併用することで、練習用組成物の均一性を確保でき、また、水希釈の際の操作性も良好にすることができる。
【００３５】
上記ビニルピロリドン−スチレン共重合体は、エマルションの形態で市販されているものが入手可能であり、練習用組成物の調製にあたっては、それをそのまま使用することができる。
【００３６】
練習用組成物中におけるビニルピロリドン−スチレン共重合体の含有量は、例えば、０．５〜２質量％であることが好ましい。
【００３７】
本発明の練習用組成物には、上記の各成分以外にも、通常の毛髪用化粧品に使用されている各成分を用いることができる。このような成分としては、例えば、炭化水素、エステル、シリコーン油、植物油、脂肪酸、保湿剤、酸化防止剤、防腐剤、香料、キレート剤などが挙げられる。
【００３８】
炭化水素としては、例えば、流動パラフィン、軽質流動イソパラフィン、スクワラン、ワセリン、マイクロクリスタリンワックスなどが挙げられる。エステルとしては、例えば、ミリスチン酸イソプロピル、ミリスチン酸セチル、ラウリン酸イソステアリル、イソステアリン酸セチル、ジオクタン酸エチレングリコール、乳酸セチルなどが挙げられる。植物油としては、例えば、アボカド油、アーモンドナッツ油、オリーブ油、大豆油、ナタネ油、硬化油、ホホバ油などが挙げられる。脂肪酸としては、例えば、ラウリン酸、ミリスチン酸、パルミチン酸、ステアリン酸、ベヘン酸、オレイン酸、イソステアリン酸などが挙げられる。
【００３９】
保湿剤としては、例えば、グリセリン、ジグリセリン、プロピレングリコール、１，３−ブチレングリコール、ジプロピレングリコール、ピロリドンカルボン酸ナトリウム、ヒアルロン酸、ソルビトール、高重合ポリエチレングリコールなどが挙げられる。酸化防止剤としては、例えば、ビタミンＥ（ｄ−δ−トコフェノールなど）、酢酸ｄ−δ−トコフェノール、ジブチルヒドロキシトルエンなどが挙げられる。防腐剤としては、例えば、安息香酸ナトリウム、塩化ベンザルコニウム、ソルビン酸、ソルビン酸カリウム、パラオキシ安息香酸メチル、パラオキシ安息香酸エチル、パラオキシ安息香酸プロピル、パラオキシ安息香酸ブチル、フェノキシエタノールなどが挙げられる。キレート剤としては、例えば、エデト酸塩、ポリリン酸Ｎａ、クエン酸Ｎａ、グルコン酸、ヒドロキシエタンジホスホン酸などが挙げられる。
【００４０】
本発明の練習用組成物は、必要に応じて水を加えて混合、希釈し、染毛剤の毛髪への塗布の練習に用いる。練習用組成物を塗布した毛髪（ウィックの毛髪）は、水洗するだけで該組成物を洗い流すことができる。このため、本発明の練習用組成物では、染毛剤の塗布練習の効率を向上させ得る。
【実施例】
【００４１】
以下、実施例に基づいて本発明を詳細に述べる。ただし、下記実施例は本発明を制限するものではなく、前・後記の趣旨を逸脱しない範囲で変更実施をすることは、全て本発明の技術的範囲に包含される。なお、以下の実施例などにおいて、「％」は「質量％」を意味している。また、練習用組成物の配合量としては、全体で１００％となるように各成分の配合量を％で示し、後記の各表中ではその％の表示を省略し、配合量を表す数値のみで表示する。
【００４２】
参考例１、実施例２〜３および比較例１〜４
表１に示す組成で各原材料を配合して、染毛剤施術練習用組成物を調製した。なお、参考例１、実施例２〜３および比較例１、２で用いた酸化チタンは、チタン工業社製の「ＫＲＯＮＯＳ  酸化チタン  ＫＡ−１０Ｍ（商品名）」（アナターゼ型酸化チタン）である。また、実施例２、３、および比較例１、２で使用している「親水性高分子のエマルション」は、ＩＳＰ社製の「アンタラ４３０（商品名）」（ビニルピロリドン−スチレン共重合体のエマルションで、該共重合体の含有量が４０質量％）である。
【００４３】
【表１】
0004827463.tif 000002
【００４４】
なお、表１において、精製水の欄の「計１００とする」とは、練習用組成物を構成する精製水以外の各成分の合計量に、精製水の量を加えて１００％となるようにしたことを意味している。
【００４５】
参考例１、実施例２〜３および比較例１〜４の練習用組成物について、下記の各評価を行った。結果を表２に示す。
【００４６】
＜水との混ぜやすさ＞
上記の各練習用組成物を水で２倍に希釈する際の混ぜやすさについて、専門のパネラー１０人それぞれが下記の基準によって評価し、点数付けを行った。
良い：１分以内に均一に混ぜることができる（２点）；
普通：１分３０秒以内に均一に混ぜることができる（１点）；
悪い：均一に混ぜるのに１分３０秒を超える時間がかかる（０点）。
【００４７】
そして、練習用組成物ごとに、上記パネラー１０人の点数を合計して、１６〜２０点のものを○、１１〜１５点のものを△、１０点以下のものを×とした。○のものが合格である。
【００４８】
＜練習用組成物の粘度＞
上記希釈前後の各練習用組成物について、Ｂ型回転粘度計を用い、４号ローターを使用して、２５℃の温度で、回転数を６ｒｐｍとして６０秒回転させた後の粘度を測定した。
【００４９】
＜練習用組成物の毛髪への塗布性評価＞
上記希釈後の各練習用組成物を毛髪に塗布し、塗布時の伸び、塗布箇所の判別のし易さ、および塗布箇所のＬ値測定を行った。
【００５０】
まず、上記希釈後の練習用組成物における塗布時の伸びおよび塗布箇所の判別のし易さの評価は以下のようにして行った。ウィック（頭部に人の毛髪を植え込んだ人形）としてフォンテーヌ株式会社製の「ウィックＦＣ１２１（商品名）」を用いた。塗布時の伸びについては、このウィックの毛髪に、上記１０人のパネラーが、染毛剤用の刷毛を用いて上記希釈後の練習用組成物各４ｇを塗布した際に、均一に伸び、かつ適量が塗布できるか否かで判断し、これらの両方が良好である場合を１点、いずれか一方または両方が悪い場合を０点で点数付けした（すなわち、これらの両者が良好であるということは、実際の染毛剤に近い塗布性を有していることを意味している）。そして、練習用組成物ごとに、上記パネラー１０人の点数を合計して、７〜１０点のものを○、０〜６点のものを×とした。○のものが合格である。
【００５１】
また、練習用組成物を塗布したウィックにおいて、塗布部分の判別のし易さを、上記パネラー１０人によって評価し、以下の基準に従って点数付けを行った。
２点：塗布部分と非塗布部分がはっきりと識別できる；
１点：塗布部分と非塗布部分とが識別できる；
０点：塗布部分と非塗布部分とが識別し難い。
【００５２】
そして、練習用組成物ごとに、上記パネラー１０人の点数を合計して、１６〜２０点のものを○、１１〜１５点のものを△、１０点以下のものを×とした。○のものが合格である。
【００５３】
また、上記希釈後の練習用組成物を毛髪に塗布した後のＬ値は、以下のようにして測定した。長さ１０ｃｍで質量１ｇの毛束を７組用意し、上記希釈後の練習用組成物を、各組の一方の毛束にそれぞれ２ｇずつ刷毛を用いて塗布した後、これらの毛束をラップで覆い、色差計（ミノルタ社製の色彩色差計「ＣＲ−２００」）を用いてＬ値を測定した。ここで、Ｌ値は明度を表しており、白は最も明度が高くＬ値が最大値１００となり、逆に黒は最も明度が低くＬ値が最小値０となる。
【００５４】
【表２】
0004827463.tif 000003
【００５５】
表２に示すように、白色顔料である酸化チタンと、カチオン性界面活性剤、ノニオン性界面活性剤、高級アルコール、ビニルピロリドン−スチレン共重合体および水とを含有する実施例２〜３の練習用組成物では、容易に水で希釈でき、毛髪の塗布箇所の判別も容易であり、更に毛髪への塗布性（塗布時の伸び）にも優れている。また、これらの練習用組成物は、通常の染毛剤のように過酸化水素やアルカリ剤、染料などが配合されていないため、塗布後の毛髪の損傷もない。
【００５６】
これに対し、カチオン性界面活性剤である臭化セチルトリメチルアンモニウムを配合していない比較例１の組成物は、水との混ぜやすさが劣っている。また、ノニオン性界面活性剤であるポリオキシエチレンセチルエーテル（２Ｅ．Ｏ．）を配合していない比較例２の組成物は、水との希釈後に急激な粘度低下が生じ、毛髪に塗布した際の伸び性が低下している。更に、白色顔料である酸化チタンを配合していない比較例３の組成物、および白色顔料の代わりに黄色色素（黄２０３号）を配合した比較例４の組成物では、毛髪に塗布した後のＬ値が低く、塗布箇所が判別し難い。